(57)【要約】【課題】  電圧調整器の動作状態を判定する。【解決手段】  配電線の電圧を調整する電圧調整器の近傍における前記配電線の第１の電圧を測定する測定部と、前記電圧調整器の動作状態に対応する第２の電圧を発生する発生部と、前記第１及び第２の電圧に基づいて、前記電圧調整器の前記動作状態を判定する判定部と、を備える。【選択図】  図１
2012095431.tif 000002
【特許請求の範囲】
【請求項１】
配電線の電圧を調整する電圧調整器の近傍における前記配電線の第１の電圧を測定する測定部と、
前記電圧調整器の動作状態に対応する第２の電圧を発生する発生部と、
前記第１及び第２の電圧に基づいて、前記電圧調整器の前記動作状態を判定する判定部と、
を備えたことを特徴とする電圧調整器の動作判定装置。
【請求項２】
前記電圧調整器は、
前記配電線に無効電力を選択的に供給する複数のコンデンサを有する自動電圧調整用コンデンサ装置（SSC:Step Switched Capacitor）であり、
前記発生部は、
前記配電線に選択的に接続される前記複数のコンデンサの接続状態を示す情報に基づいて、前記第１の電圧を前記第２の電圧に変圧する変圧器、を備えたこと
を特徴とする請求項１に記載の電圧調整器の動作判定装置。
【請求項３】
前記電圧調整器は、
前記配電線に直列に接続され、前記配電線における前記電圧調整器の一次側の電圧と前記電圧調整器の二次側の電圧の比率を調整する複数のタップを有する自動電圧調整装置（SVR:Step Voltage Regulator）であり、
前記測定部は、
前記自動電圧調整装置の二次側近傍における前記配電線の第１の電圧を測定し、
前記発生部は、
前記自動電圧調製装置の前記複数のタップにおける選択されたタップの位置を示す情報に基づいて、前記第１の電圧から前記第２の電圧を算出する演算部、を備えたこと
を特徴とする請求項１に記載の電圧調整器の動作判定装置。
【請求項４】
配電線の電圧を調整する電圧調整器の近傍における前記配電線の第１の電圧と、
前記電圧調整器の動作状態に対応する第２の電圧と、に基づいて、
前記電圧調整器の前記動作状態を判定することを特徴とする電圧調整器の動作判定方法。
【発明の詳細な説明】
【技術分野】
【０００１】
本発明は、電圧調整器の動作判定装置、電圧調整器の動作判定方法に関する。
【背景技術】
【０００２】
一般的に、配電線の電圧は、配電線に接続された例えば工場の電気機器等の電力負荷から配電線に供給される無効電力（以下、電力負荷からの無効電力という）によって、電力負荷からの無効電力が無い場合より例えば低下する。
【０００３】
配電線の無効電力を増減させて配電線の電圧を調整する装置として、例えば特許文献１に開示される自動電圧調整用コンデンサ装置（以下、ＳＳＣという）が知られている。
【０００４】
ＳＳＣは、電圧計、複数のコンデンサ、及び複数のコンデンサ夫々に対応した複数のスイッチを含んで構成される。各コンデンサは、各コンデンサに対応した各スイッチを介して配電線に接続される。電圧計は、配電線における複数のコンデンサが接続された地点の近傍の電圧を測定するように配電線に接続される。
【０００５】
ＳＳＣは、電圧計で計測された配電線の電圧の変化に応じて各コンデンサに対応した各スイッチをオンオフして配電線に接続されるコンデンサを調整し、配電線の無効電力を増減させて配電線の電圧を調整していた。
【先行技術文献】
【特許文献】
【０００６】
【特許文献１】特開２００７−６６７４号公報
【発明の概要】
【発明が解決しようとする課題】
【０００７】
特許文献１に開示されるＳＳＣが用いられた場合、配電線に電力を供給する変電所では、配電線の電圧を調整するために配電線の無効電力を増減させるＳＳＣの動作状態を把握することができない。よって、変電所の配電用変圧器は、配電線に負荷として接続された電気機器を動作させるための最適な電力を配電線に供給することが困難であった。
【課題を解決するための手段】
【０００８】
前述した課題を解決する主たる本発明は、配電線の電圧を調整する電圧調整器の近傍における前記配電線の第１の電圧を測定する測定部と、前記電圧調整器の動作状態に対応する第２の電圧を発生する発生部と、前記第１及び第２の電圧に基づいて、前記電圧調整器の前記動作状態を判定する判定部と、を備えたことを特徴とする電圧調整器の動作判定装置である。
【０００９】
本発明の他の特徴については、添付図面及び本明細書の記載により明らかとなる。
【発明の効果】
【００１０】
本発明によれば、電圧調整器の動作状態を判定することができる。従って、配電線の負荷に最適な電力を供給することができる。
【図面の簡単な説明】
【００１１】
【図１】本発明の第１実施形態に係る電圧調整器の動作判定装置を示す図である。
【図２】本発明の第１実施形態に係る動作判定装置における変圧器の詳細を示す図である。
【図３】本発明の第２実施形態に係る電圧調整器の動作判定装置を示す図である。
【図４】本発明の第２実施形態に係る動作判定装置における変圧比テーブルの一例を示すである。
【図５】本発明の第２実施形態に係る動作判定装置５の判定結果の一例を示す図である。
【発明を実施するための形態】
【００１２】
本明細書および添付図面の記載により、少なくとも以下の事項が明らかとなる。
【００１３】
[第１実施形態]
＝＝＝配電設備＝＝＝
図１は、本実施形態に係る電圧調整器の動作判定装置を示す図である。  
配電系統Ｌ１００は、変電所６及び配電線Ｌ１を備えて構成される。変電所６は、配電用変圧器Ｔｒを備えて構成される。  
配電用変圧器Ｔｒの一次側は送電線（不図示）に接続され、配電用変圧器Ｔｒの二次側は配電線Ｌ１に接続される。  
配電線Ｌ１には、負荷Ｒ１、ＳＳＣ（Step Switched Capacitor：電圧調整用コンデンサ装置）２及び動作判定装置３が接続される。尚、負荷Ｒ１、ＳＳＣ２及び動作判定装置３が配電線Ｌ１に接続される夫々の地点をａ地点、ｂ地点及びｃ地点とする。
【００１４】
負荷Ｒ１は、例えば工場に設けられた電気機器である。負荷Ｒ１には、変電所６に設けられた配電用変圧器Ｔｒの二次側から電力が供給される。  
ＳＳＣ２は、配電線Ｌ１におけるＳＳＣ２が接続されるｂ地点の近傍の電圧に応じて、配電線Ｌ１の電圧を調整するための無効電力が配電線Ｌ１に供給されるように配電線Ｌ１のｂ地点にコンデンサを接続する装置である。尚、ＳＳＣ２の詳細については後述する。
【００１５】
動作判定装置３は、配電線Ｌ１のｃ地点の電圧（第１の電圧）と配電線Ｌ１に接続されるＳＳＣ２のコンデンサの接続状態に対応する電圧（第２の電圧）に基づいてＳＳＣ２の動作状態を判定する。尚、動作判定装置３の詳細については後述する。
【００１６】
＝＝＝ＳＳＣ＝＝＝
ＳＳＣ２は、配電線Ｌ１におけるＳＳＣ２が接続されるｂ地点の近傍の電圧に応じて、配電線Ｌ１の電圧を調整するための無効電力が配電線Ｌ１に供給されるように配電線Ｌ１のｂ地点にコンデンサを接続する。
【００１７】
ＳＳＣ２は、測定装置２１、制御装置２２、コンデンサＣ１乃至Ｃ３及びスイッチＳＷ１乃至ＳＷ３を備えて構成される。  
コンデンサＣ１乃至Ｃ３は夫々、例えば異なる容量のコンデンサである。尚、例えばコンデンサＣ２の容量はコンデンサＣ１の容量よりも大きく、コンデンサＣ３の容量はコンデンサＣ２の容量よりも大きいものとする。コンデンサＣ１、Ｃ２、Ｃ３の一端は夫々スイッチＳＷ１、ＳＷ２、ＳＷ３を介して配電線Ｌ１のｂ地点に接続され、コンデンサＣ１、Ｃ２、Ｃ３の他端は接地（ＧＮＤ）される。
【００１８】
よって、スイッチＳＷ１乃至ＳＷ３を夫々開閉する組み合わせにより、配電線Ｌ１には７段階の容量が付加されることとなる。尚、スイッチＳＷ１乃至ＳＷ３を開閉して配電線Ｌ１に付加される７段階の容量における最小の容量から最大の容量までを夫々、第１の容量乃至第７の容量とする。
【００１９】
ここで、ＳＳＣ２にはスイッチＳＷ１乃至ＳＷ３夫々の開閉状態に応じて点灯する例えばＬＥＤ２３１乃至２３３が取り付けられている。  
例えばスイッチＳＷ１乃至ＳＷ３が夫々閉とされた場合、ＬＥＤ２３１乃至ＬＥＤ２３３が点灯するような例えば５ボルトの電圧がＳＳＣ２からＬＥＤ２３１乃至ＬＥＤ２３３に印加される。一方、例えばスイッチＳＷ１乃至ＳＷ３が夫々開とされた場合、例えばＬＥＤ２３１乃至ＬＥＤ２３３に電圧が印加されない状態となる。
【００２０】
測定装置２１は、配電線Ｌ１のｂ地点の近傍に設けられる例えば変成器であり、配電線Ｌ１における測定装置２１が設けられた地点の電圧を測定する。  
制御装置２２は、測定装置２１で測定された配電線Ｌ１における測定装置２１が設けられた地点の電圧に応じてコンデンサＣ１乃至Ｃ３を配電線Ｌ１に接続するようにスイッチＳＷ１乃至ＳＷ３の開閉を制御する。制御装置２２は、測定装置２１で測定された配電線Ｌ１における測定装置２１が設けられた地点の電圧（以下、測定電圧という）を示す測定情報を測定装置２１から受信できるように、例えば通信ケーブルＴ２を介して測定装置２１に接続される。
【００２１】
制御装置２２は、記憶部２２１、判断部２２２及び入力部２２３を備えて構成される。  
記憶部２２１には、測定電圧と比較してコンデンサＣ１乃至Ｃ３を配電線Ｌ１に接続するか否かの判断を行う際に用いられる閾値電圧が記憶されている。尚、閾値電圧は、例えば負荷Ｒ１に印加されて負荷Ｒ１が正常に動作する電圧よりも低い電圧とする。  
入力部２２３は、例えば作業員が閾値電圧を記憶部２２１に入力する際に用いられる例えばキーボードである。  
判断部２２２は、制御装置２２が測定装置２１から受信した測定情報に示される測定電圧が記憶部２２１に記憶された閾値電圧よりも低いか否かを判断する。
【００２２】
例えば測定装置２１から受信した測定情報に示される測定電圧が記憶部２２１に記憶された閾値電圧よりも低いと判断部２２２に判断された場合、制御装置２２は、測定電圧が閾値電圧よりも高くなるまで、配電線Ｌ１に第１の容量から第７の容量が順次付加されるようにスイッチＳＷ１乃至ＳＷ３を制御する。
【００２３】
＝＝＝動作判定装置の全体構成＝＝＝
動作判定装置３は、配電線Ｌ１のｃ地点の電圧（第１の電圧）と配電線Ｌ１に接続されるＳＳＣ２のコンデンサの接続状態に対応する電圧（第２の電圧）に基づいてＳＳＣ２の動作状態を判定する。
【００２４】
動作判定装置３は、測定装置３１ａ（測定部）、測定装置３１ｂ、変圧器３０、判定装置３２（判定部）、記憶装置３３及び送受信装置３４を備えて構成される。  
測定装置３１ａは、配電線Ｌ１のｃ地点の電圧（第１の電圧）を測定するように設けられた例えば電圧計である。  
変圧器３０は、変圧器３０の一次側に印加される配電線Ｌ１のｃ地点の電圧をＳＳＣ２のコンデンサＣ１乃至Ｃ３と配電線Ｌ１との接続状態に対応した電圧（第２の電圧）に変圧する変圧器である。尚、変圧器３０の詳細については後述する。  
測定装置３１ｂは、ＳＳＣ２のコンデンサＣ１乃至Ｃ３と配電線Ｌ１との接続状態に応じて変圧器３０で変圧された配電線Ｌ１のｃ地点の電圧を測定するように変圧器３０の二次側に接続された例えば電圧計である。
【００２５】
判定装置３２は、測定装置３１ａ、３１ｂの測定結果からＳＳＣ２の動作状態を判定する装置である。判定装置３２は、ＳＳＣ２の動作状態の判定結果を示す判定情報を送信する。尚、判定装置３２の詳細については後述する。判定装置３２は、測定装置３１ａ、３１ｂの測定結果を示す測定情報を夫々受信できるように、例えば通信ケーブルＴ３１、Ｔ３２を介して測定装置３１ａ、３１ｂに接続される。判定装置３２は、記憶装置３３との間で通信が行われるように、例えば通信ケーブルＴ３３を介して記憶装置３３に接続される。
【００２６】
記憶装置３３は、測定装置３１ａ、３１ｂから判定装置３２を介して受信した測定情報に示される測定装置３１ａ、３１ｂの測定結果及び判定装置３２から受信した判定情報に示されるＳＳＣ２の動作状態の判定結果を記憶する。
【００２７】
送受信装置３４は、測定装置３１ａ、３１ｂから測定情報を受信し、判定装置３２から判定情報を受信するように、例えば通信ケーブルＴ３４を介して記憶装置３３に接続される。送受信装置３４は、監視制御装置６０に例えば測定情報及び判定情報を送信するように、例えば通信ケーブルＴ３５を介して監視制御装置６０に接続される。尚、変電所６には監視制御装置６０が設けられている。監視制御装置６０は、動作判定装置３から送信された例えば測定情報及び判定情報に基づいて、変電所６から配電線Ｌ１に供給される電力の例えば力率を調整するための例えば調相機（不図示）を制御する。
【００２８】
＝＝＝変圧器＝＝＝
図２は、本実施形態に係る動作判定装置における変圧器の詳細を示す図である。  
変圧器３０は、変圧器３０の一次側に印加される配電線Ｌ１のｃ地点の電圧（第１の電圧）をＳＳＣ２のコンデンサＣ１乃至Ｃ３と配電線Ｌ１との接続状態に対応した電圧（第２の電圧）に変圧する。  
変圧器３０は、スイッチ回路ＳＷ１００及び変圧器Ｔｒ１を備えて構成される。
【００２９】
変圧器Ｔｒ１は、一次側に例えば８個の端子Ａ１乃至Ａ８が設けられ二次側に端子Ｂ１が設けられる。変圧器Ｔｒ１は、一次側の端子Ａ１乃至Ａ８から選択された一つの端子に印加された電圧を所定の変圧比で変圧し、二次側の端子Ｂ１に変圧器Ｔｒ１で変圧された電圧を出力する。尚、変圧器Ｔｒ１の変圧比は、端子Ａ１乃至Ａ８の何れの端子に電圧が印加されるかによって異なり、各端子Ａ１乃至Ａ８に電圧が印加された際の変圧比夫々はお互いに異なるものとする。
【００３０】
スイッチ回路ＳＷ１００は、ＳＳＣ２のコンデンサＣ１乃至Ｃ３と配電線Ｌ１との接続状態に応じて、変圧器３０に印加された電圧を変圧器Ｔｒ１の一次側の端子Ａ１乃至Ａ８の何れの端子に印加するかの選択を行う回路である。
【００３１】
スイッチ回路ＳＷ１００は、スイッチＳＷ１１、ＳＷ２１、ＳＷ２２、ＳＷ３１、ＳＷ３２、ＳＷ３３、ＳＷ３４を備えて構成される。  
スイッチＳＷ１１は、ＬＥＤ２３１が点灯するような例えば５ボルトの電圧がＳＳＣ２からＬＥＤ２３１に印加される場合に例えば接点１１ｃと接点１１ａが接続され、ＳＳＣ２からＬＥＤ２３１に電圧が印加されない場合は例えば接点１１ｃと接点１１ｂが接続されるような例えば機械スイッチである。
【００３２】
スイッチＳＷ１１は、接点１１ａ、１１ｂ、１１ｃ、切片１１ｄ及び磁界発生コイル（不図示）を備えて構成される。  
切片１１ｄの一端は接点１１ｃに接続される。切片１１ｄの他端は接点１１ａ又は接点１１ｂに選択的に接続される。
【００３３】
磁界発生コイルは、切片１１ｄの他端が例えば接点１１ａに接続されるような電磁力を発生させるための磁界をつくる。尚、磁界発生コイルによる磁界がつくられていない場合、切片１１ｄの他端は、例えば接点１１ｂに接続されているものとする。磁界発生コイルは、ＳＳＣ２からＬＥＤ２３１に印加される電圧によって磁界発生コイルに流れる電流で磁界を発生させるように、例えば導電線（不図示）を介してＳＳＣ２に接続される。ＬＥＤ２３１を点灯させるような例えば５ボルトの電圧がＳＳＣ２から磁界発生コイルに印加された場合、切片１１ｄの他端を例えば接点１１ａに接続させるような電磁力を発生させるための磁界が磁界発生コイルでつくられるものとする。
【００３４】
例えば、ＳＳＣ２のスイッチＳＷ１が閉とされて例えば５ボルトの電圧がＳＳＣ２からＬＥＤ２３１に印加された場合、ＳＳＣ２からＬＥＤ２３１に印加された例えば５ボルトの電圧は磁界発生コイルに印加される。磁界発生コイルは、切片１１ｄの他端を例えば接点１１ａに接続させるような電磁力を発生させるための磁界が作られる。切片１１ｄの他端は、磁界発生コイルによって作られた磁界による電磁力によって接点１１ａに接続される。一方、例えば、ＳＳＣ２のスイッチＳＷ１が開とされた場合、磁界発生コイルに電圧が印加されない状態となる。磁界発生コイルによる磁界が発生していない状態となり、切片１１ｄの他端は接点１１ｂに接続される。
【００３５】
スイッチＳＷ２１、ＳＷ２２は、ＳＳＣ２からＬＥＤ２３２に印加される電圧によってＳＷ１１と同様に動作するように構成されるので、その説明は省略する。ＳＷ３１、ＳＷ３２、ＳＷ３３、ＳＷ３４は、ＳＳＣ２からＬＥＤ２３３に印加される電圧によってＳＷ１１と同様に動作するように構成されるので、その説明は省略する。
【００３６】
接点１１ｃは、配電線Ｌ１のｃ地点の電圧が接点１１ｃに印加されるように例えば導電線Ｅ０を介して配電線Ｌ１のｃ地点に接続される。接点１１ａは、例えば導電線Ｅ１を介して接点２１ｃに接続される。接点１１ｂは、例えば導電線Ｅ２を介して接点２２ｃに接続される。接点２１ａは、例えば導電線Ｅ３を介して接点３１ｃに接続される。接点２１ｂは、例えば導電線Ｅ４を介して接点３２ｃに接続される。接点２２ａは、例えば導電線Ｅ５を介して接点３３ｃに接続される。接点２２ｂは、例えば導電線Ｅ６を介して接点３４ｃに接続される。接点３１ａは、例えば導電線Ｅ７を介して変圧器Ｔｒ１の端子Ａ８に接続される。接点３１ｂは、例えば導電線Ｅ８を介して変圧器Ｔｒ１の端子Ａ７に接続される。接点３２ａは、例えば導電線Ｅ９を介して変圧器Ｔｒ１の端子Ａ６に接続される。接点３２ｂは、例えば導電線Ｅ１０を介して変圧器Ｔｒ１の端子Ａ５に接続される。接点３３ａは、例えば導電線Ｅ１１を介して変圧器Ｔｒ１の端子Ａ４に接続される。接点３３ｂは、例えば導電線Ｅ１２を介して変圧器Ｔｒ１の端子Ａ３に接続される。接点３４ａは、例えば導電線Ｅ１３を介して変圧器Ｔｒ１の端子Ａ２に接続される。接点３４ｂは、例えば導電線Ｅ１４を介して変圧器Ｔｒ１の端子Ａ１に接続される。
【００３７】
スイッチ回路ＳＷ１００は、ＳＳＣ２のコンデンサＣ１乃至Ｃ３と配電線Ｌ１との接続状態に応じて、変圧器３０に印加された電圧を変圧器Ｔｒ１の一次側の端子Ａ１乃至Ａ８の何れの端子に印加するかを選択する。変圧器３０に印加された電圧は、スイッチＳＷ１乃至ＳＷ３を夫々開閉する８個の組み合わせ夫々に対応した変圧器Ｔｒ１の一次側の端子Ａ１乃至Ａ８夫々に印加される。
【００３８】
例えばＳＳＣ２のスイッチＳＷ１が閉とされスイッチＳＷ２、ＳＷ３が開とされた場合、配電線Ｌ１にはコンデンサＣ１が接続される。ＬＥＤ２３１のみが点灯し、ＬＥＤ２３２、２３３は消灯する。つまり、ＬＥＤ２３１にはＳＳＣ２から例えば５ボルトの電圧が印加され、ＬＥＤ２３２、２３３にはＳＳＣ２から電圧が印加されていない状態となる。切片１１ｄの他端は、接点１１ａに接続される。切片２１ｄ、２２ｄ、３１ｄ、３２ｄ、３３ｄ、３４ｄの他端夫々は、接点２１ｂ、２２ｂ、３１ｂ、３２ｂ、３３ｂ、３４ｂに接続される。変圧器３０に印加された電圧は、変圧器Ｔｒ１の端子Ａ５に印加される。変圧器Ｔｒ１は、端子Ａ５に印加された配電線Ｌ１のｃ地点の電圧を変圧し、端子Ｂ１に変圧器Ｔｒ１で変圧された電圧を出力する。
【００３９】
例えばＳＳＣ２のスイッチＳＷ２が閉とされスイッチＳＷ１、ＳＷ３が開とされた場合、配電線Ｌ１にはコンデンサＣ２が接続される。ＬＥＤ２３２のみが点灯し、ＬＥＤ２３１、２３３は消灯する。つまり、ＬＥＤ２３２にはＳＳＣ２から例えば５ボルトの電圧が印加され、ＬＥＤ２３１、２３３にはＳＳＣ２から電圧が印加されていない状態となる。切片２１ｄ、２２ｄの他端夫々は、接点２１ａ、２２ａに接続される。切片１１ｄ、３１ｄ、３２ｄ、３３ｄ、３４ｄの他端夫々は、接点１１ｂ、３１ｂ、３２ｂ、３３ｂ、３４ｂに接続される。変圧器３０に印加された電圧は、変圧器Ｔｒ１の端子Ａ３に印加される。変圧器Ｔｒ１は、端子Ａ３に印加された配電線Ｌ１のｃ地点の電圧を変圧し、端子Ｂ１に変圧器Ｔｒ１で変圧された電圧を出力する。
【００４０】
例えばＳＳＣ２のスイッチＳＷ３が閉とされスイッチＳＷ１、ＳＷ２が開とされた場合、配電線Ｌ１にはコンデンサＣ３が接続される。ＬＥＤ２３３のみが点灯し、ＬＥＤ２３１、２３２は消灯する。つまり、ＬＥＤ２３３にはＳＳＣ２から例えば５ボルトの電圧が印加され、ＬＥＤ２３１、２３２にはＳＳＣ２から電圧が印加されていない状態となる。切片３１ｄ、３２ｄ、３３ｄ、３４ｄの他端夫々は、接点３１ａ、３２ａ、３３ａ、３４ａに接続される。切片１１ｄ、２１ｄ、２２ｄの他端夫々は、接点１１ｂ、２１ｂ、２２ｂに接続される。変圧器３０に印加された電圧は、変圧器Ｔｒ１の端子Ａ２に印加される。変圧器Ｔｒ１は、端子Ａ２に印加された配電線Ｌ１のｃ地点の電圧を変圧し、端子Ｂ１に変圧器Ｔｒ１で変圧された電圧を出力する。
【００４１】
例えばＳＳＣ２のスイッチＳＷ１、ＳＷ２が閉とされスイッチＳＷ３が開とされた場合、配電線Ｌ１にはコンデンサＣ１、Ｃ２が接続される。ＬＥＤ２３１、２３２が点灯し、ＬＥＤ２３３は消灯する。つまり、ＬＥＤ２３１、２３２にはＳＳＣ２から例えば５ボルトの電圧が印加され、ＬＥＤ２３３にはＳＳＣ２から電圧が印加されていない状態となる。切片１１ｄ、２１ｄ、２２ｄの他端夫々は、接点１１ａ、２１ａ、２２ａに接続される。切片３１ｄ、３２ｄ、３３ｄ、３４ｄの他端夫々は、接点３１ｂ、３２ｂ、３３ｂ、３４ｂに接続される。変圧器３０に印加された電圧は、変圧器Ｔｒ１の端子Ａ７に印加される。変圧器Ｔｒ１は、端子Ａ７に印加された配電線Ｌ１のｃ地点の電圧を変圧し、端子Ｂ１に変圧器Ｔｒ１で変圧された電圧を出力する。
【００４２】
例えばＳＳＣ２のスイッチＳＷ２、ＳＷ３が閉とされスイッチＳＷ１が開とされた場合、配電線Ｌ１にはコンデンサＣ２、Ｃ３が接続される。ＬＥＤ２３２、２３３が点灯し、ＬＥＤ２３１は消灯する。つまり、ＬＥＤ２３２、２３３にはＳＳＣ２から例えば５ボルトの電圧が印加され、ＬＥＤ２３１にはＳＳＣ２から電圧が印加されていない状態となる。切片２１ｄ、２２ｄ、３１ｄ、３２ｄ、３３ｄ、３４ｄの他端夫々は、接点２１ａ、２２ａ、３１ａ、３２ａ、３３ａ、３４ａに接続される。切片１１ｄの他端は、接点１１ｂに接続される。変圧器３０に印加された電圧は、変圧器Ｔｒ１の端子Ａ４に印加される。変圧器Ｔｒ１は、端子Ａ４に印加された配電線Ｌ１のｃ地点の電圧を変圧し、端子Ｂ１に変圧器Ｔｒ１で変圧された電圧を出力する。
【００４３】
例えばＳＳＣ２のスイッチＳＷ１、ＳＷ３が閉とされスイッチＳＷ２が開とされた場合、配電線Ｌ１にはコンデンサＣ１、Ｃ３が接続される。ＬＥＤ２３１、２３３が点灯し、ＬＥＤ２３２は消灯する。つまり、ＬＥＤ２３１、２３３にはＳＳＣ２から例えば５ボルトの電圧が印加され、ＬＥＤ２３２にはＳＳＣ２から電圧が印加されていない状態となる。切片１１ｄ、３１ｄ、３２ｄ、３３ｄ、３４ｄの他端夫々は、接点１１ａ、３１ａ、３２ａ、３３ａ、３４ａに接続される。切片２１ｄ、２２ｄの他端夫々は、接点２１ｂ、２２ｂに接続される。変圧器３０に印加された電圧は、変圧器Ｔｒ１の端子Ａ６に印加される。変圧器Ｔｒ１は、端子Ａ６に印加された配電線Ｌ１のｃ地点の電圧を変圧し、端子Ｂ１に変圧器Ｔｒ１で変圧された電圧を出力する。
【００４４】
例えばＳＳＣ２のスイッチＳＷ１、ＳＷ２、ＳＷ３が閉とされた場合、配電線Ｌ１にはコンデンサＣ１、Ｃ２、Ｃ３が接続される。ＬＥＤ２３１、２３２、２３３が点灯する。つまり、ＬＥＤ２３１、２３２、２３３にはＳＳＣ２から例えば５ボルトの電圧が印加される。切片１１ｄ、２１ｄ、２２ｄ、３１ｄ、３２ｄ、３３ｄ、３４ｄの他端夫々は、接点１１ａ、２１ａ、２２ａ、３１ａ、３２ａ、３３ａ、３４ａに接続される。変圧器３０に印加された電圧は、変圧器Ｔｒ１の端子Ａ８に印加される。変圧器Ｔｒ１は、端子Ａ８に印加された配電線Ｌ１のｃ地点の電圧を変圧し、端子Ｂ１に変圧器Ｔｒ１で変圧された電圧を出力する。
【００４５】
例えばＳＳＣ２のスイッチＳＷ１、ＳＷ２、ＳＷ３が開とされた場合、配電線Ｌ１にはコンデンサＣ１、Ｃ２、Ｃ３が接続さない。ＬＥＤ２３１、２３２、２３３が消灯する。つまり、ＬＥＤ２３１、２３２、２３３にはＳＳＣ２から電圧が印加されない状態となる。切片１１ｄ、２１ｄ、２２ｄ、３１ｄ、３２ｄ、３３ｄ、３４ｄの他端夫々は、接点１１ｂ、２１ｂ、２２ｂ、３１ｂ、３２ｂ、３３ｂ、３４ｂに接続される。変圧器３０に印加された電圧は、変圧器Ｔｒ１の端子Ａ１に印加される。変圧器Ｔｒ１は、端子Ａ１に印加された配電線Ｌ１のｃ地点の電圧を変圧し、端子Ｂ１に変圧器Ｔｒ１で変圧された電圧を出力する。
【００４６】
＝＝＝判定装置＝＝＝
判定装置３２（判定部）は、測定装置３１ａ（測定部）、測定装置３１ｂの測定結果からＳＳＣ２の動作状態を判定する。  
判定装置３２は、記憶部３２１及び判定部３２２を備えて構成される。
【００４７】
記憶部３２１には、ＳＳＣ２のスイッチＳＷ１、ＳＷ２、ＳＷ３を夫々開閉する８個の組み合わせ夫々と変圧器Ｔｒ１の変圧比夫々との対応を示す変圧比テーブルが記憶される。
【００４８】
ここで、判定装置３２は、測定装置３１ａの測定結果を示す測定情報を測定装置３１ａから受信する。又、判定装置３２は、測定器３１ｂの測定結果を示す測定情報を測定装置３１ｂから受信する。
【００４９】
判定部３２２は、測定装置３１ａの測定情報に示される測定結果と測定装置３１ｂの測定情報に示される測定結果を除算して変圧器Ｔｒ１の変圧比を算出する。判定部３２２は、記憶部３２１の変圧比テーブルを参照して、測定装置３１ａの測定結果と測定装置３１ｂの測定結果から算出された変圧器Ｔｒ１の変圧比からＳＳＣ２のスイッチＳＷ１、ＳＷ２、ＳＷ３の開閉を判定する。
【００５０】
＝＝＝動作判定装置の動作＝＝＝
配電線Ｌ１に容量を付加するＳＳＣ２の動作状態を動作判定装置３が判定する動作判定装置３の動作について説明する。例えば、配電線Ｌ１にコンデンサＣ１を接続して第１の容量を配電線Ｌ１に付加するＳＳＣ２の動作を動作判定装置３が判定する動作判定装置３の動作について説明する。尚、配電線Ｌ１に第２の容量乃至第７の容量を付加するＳＳＣ２の動作及び配電線Ｌ１に容量を付加しないＳＳＣ２の動作を判定する動作判定装置３の動作は、配電線Ｌ１にコンデンサＣ１を接続して第１の容量を配電線Ｌ１に付加するＳＳＣ２の動作を判定する動作判定装置３の動作と同様であるので、その説明は省略する。
【００５１】
例えばＳＳＣ２が配電線Ｌ１に第１の容量を付加する場合、ＳＳＣ２のスイッチＳＷ１が閉とされ、スイッチＳＷ２、ＳＷ３が開とされ、コンデンサＣ１が配電線L１に接続される。ＳＳＣ２からスイッチ回路ＳＷ１００のスイッチＳＷ１１の磁界発生コイルへＬＥＤ２３１を点灯させる例えば５ボルトの電圧が印加され、スイッチ回路ＳＷ１００のスイッチＳＷ１１の磁界発生コイル以外の磁界発生コイルへは電圧が印加されない状態となる。切片１１ｄの他端は、接点１１ａに接続される。切片２１ｄ、２２ｄ、３１ｄ、３２ｄ、３３ｄ、３４ｄの他端夫々は、接点２１ｂ、２２ｂ、３１ｂ、３２ｂ、３３ｂ、３４ｂに接続される。配電線Ｌ１のｃ地点から変圧器３０に印加された電圧は、変圧器Ｔｒ１の端子Ａ５に印加される。変圧器Ｔｒ１は、端子Ａ５に印加された配電線Ｌ１のｃ地点の電圧を変圧し、端子Ｂ１に変圧器Ｔｒ１で変圧された電圧を出力する。判定装置３２は、測定装置３１ａの測定情報に示される測定結果と測定装置３１ｂの測定情報に示される測定結果を除算して、変圧器Ｔｒ１の変圧比を算出する。判定装置３２は、配電線Ｌ１のｃ地点の電圧を変圧器Ｔｒ１の例えば端子Ａ５に印加した際の変圧比であると算出する。判定装置３２は、記憶部３２１の変圧比テーブルを参照して、ＳＳＣ２のスイッチＳＷ１が例えば閉とされ、スイッチＳＷ２、ＳＷ３が例えば開とされているものと判定する。判定装置３２は、ＳＳＣ２のスイッチＳＷ１が例えば閉とされ、スイッチＳＷ２、ＳＷ３が例えば開とされていることを示す判定情報を記憶装置３３に送信する。
【００５２】
記憶装置３３は、測定装置３１ａ、３１ｂの測定情報及びＳＳＣ２のスイッチＳＷ１が閉とされ、スイッチＳＷ２、ＳＷ３が開とされていることを示す判定情報を記憶する。
【００５３】
送受信装置３４は、監視制御装置６０へ測定装置３１ａ、３１ｂの測定情報及びＳＳＣ２のスイッチＳＷ１が閉とされ、スイッチＳＷ２、ＳＷ３が開とされていることを示す判定情報を送信する。
【００５４】
前述したように、測定装置３１ａは、配電線Ｌ１におけるＳＳＣ２が接続される地点の近傍の電圧を測定する。変圧器３０は、配電線Ｌ１におけるＳＳＣ２が接続される地点の近傍の電圧を、ＳＳＣ２のコンデンサＣ１乃至Ｃ３と配電線Ｌ１の接続状態に応じた電圧に変圧して変圧器３０の二次側に出力する。判定装置３２は、測定装置３１ａに測定された配電線Ｌ１におけるＳＳＣ２が接続される地点の近傍の電圧と測定装置３１ｂに測定された変圧器３０の二次側の電圧に基づいて、ＳＳＣ２の動作状態を判定する。判定装置３２によって判定されたＳＳＣ２の動作状態を示す判定情報が監視制御装置６０に送信される。よって、動作判定装置３では、ＳＳＣ２のコンデンサＣ１乃至Ｃ３と配電線Ｌ１の接続状態を把握するのに、コンデンサＣ１乃至Ｃ３を夫々開閉するスイッチＳＷ１乃至ＳＷ３の開閉を夫々示すＬＥＤ２３１乃至２３３が点灯もしくは消灯する動作を用いて簡単にＳＳＣ２のコンデンサＣ１乃至Ｃ３と配電線Ｌ１の接続状態を把握できる。従って、ＳＳＣ２の動作状態を簡単に判定することができ、変電所６から例えば負荷Ｒ１に最適な電力を供給することができる。
【００５５】
又、配電線Ｌ１におけるＳＳＣ２が接続される地点の近傍の電圧と、変圧器３０の二次側から出力される電圧に基づいて、ＳＳＣ２の動作状態を判定する。よって、ＳＳＣ２の動作状態を簡単に判定することができる。
【００５６】
尚、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【００５７】
[第２実施形態]
＝＝＝配電設備＝＝＝
図３は、本実施形態に係る電圧調整器の動作判定装置を示す図である。  
配電系統Ｌ２００は、変電所６ａ、ＳＶＲ（Step Voltage Regulator：自動電圧調整装置）４及び配電線Ｌ２を備えて構成される。変電所６ａは、配電用変圧器Ｔｒａを備えて構成される。
【００５８】
配電用変圧器Ｔｒａの一次側は送電線（不図示）に接続され、配電用変圧器Ｔｒａの二次側は配電線Ｌ２に接続される。  
配電線Ｌ２には、負荷Ｒ２が接続される。尚、負荷Ｒ２が配電線Ｌ２に接続される地点をｄ地点とする。配電線Ｌ２には、ＳＶＲ４の変圧器Ｔｒ２の一次側が配電用変圧器Ｔｒａの二次側と接続されるように配電線Ｌ２に直列に接続される。  
負荷Ｒ２は、例えば工場に設けられた電気機器である。負荷Ｒ２には、変電所６ａに設けられた配電用変圧器Ｔｒａの二次側からＳＶＲ４の変圧器Ｔｒ２を介して電力が供給される。  
ＳＶＲ４の変圧器Ｔｒ２は、配電線Ｌ２における変圧器Ｔｒ２の一次側の電圧と変圧器Ｔｒ２の二次側の電圧の比率を調整する。尚、ＳＶＲ４の詳細については後述する。
【００５９】
＝＝＝ＳＶＲ＝＝＝
ＳＶＲ４は、配電用変圧器Ｔｒａの二次側から変圧器Ｔｒ２の一次側に印加される電圧と変圧器Ｔｒ２の二次側から出力される電圧の比率を調整する。
【００６０】
ＳＶＲ４は、変圧器Ｔｒ２、測定装置４１、制御装置４２及びタップ位置制御装置４３を備えて構成される。
【００６１】
変圧器Ｔｒ２には、変圧器Ｔｒ２の一次側に印加される電圧と変圧器Ｔｒ２の二次側から出力される電圧の変圧比を調整する例えば９個のタップ（不図示）が備えられる。尚、変圧器Ｔｒ２の例えば９個のタップを夫々、第１のタップ乃至第９のタップとする。
【００６２】
変圧器Ｔｒ２の一次側に印加された電圧は、変圧器Ｔｒ２の第１のタップ乃至第９のタップのうち選択された一つのタップを介してＴｒ２の二次側に出力される。変圧器Ｔｒ２は、変圧器Ｔｒ２の一次側に印加された電圧を所定の変圧比で変圧し、変圧器Ｔｒ２の二次側に変圧器Ｔｒ２で変圧された電圧を出力する。尚、変圧器Ｔｒ２の変圧比は、変圧器Ｔｒ２の何れのタップが選択されたかによって異なり、各第１のタップ乃至第９のタップが選択された際の変圧器Ｔｒ２の変圧比夫々はお互いに異なるものとする。変圧器Ｔｒ２の二次側から出力される電圧は、変圧器Ｔｒ２の第１のタップが選択された場合から第９のタップが選択された場合まで例えば順次大きくなるように変圧器Ｔｒ２の各タップに対応した変圧器Ｔｒ２の変圧比が設定されているものとする。又、例えば第６のタップが選択された場合は変圧器Ｔｒ２の一次側及び二次側の電圧が例えば等しくなり、第６のタップが選択された場合を境に変圧器Ｔｒ２の一次側及び二次側の電圧の大小が逆転するように変圧器Ｔｒ２の変圧比が設定されているものとする。第１のタップ乃至第５のタップが選択された場合、変圧器Ｔｒ２の二次側の電圧が変圧器Ｔｒ２の一次側の電圧よりも小さく、第７のタップ乃至第９のタップが選択された場合、変圧器Ｔｒ２の二次側の電圧が変圧器Ｔｒ２の一次側の電圧よりも大きくなるように変圧器Ｔｒ２の変圧比が設定されているものとする。
【００６３】
変圧器Ｔｒ２の各第１のタップ乃至第９のタップは、タップ位置制御装置４３により順次選択される。測定装置４１は、配電線Ｌ２における変圧器Ｔｒ２の二次側近傍に設けられる例えば変成器であり、配電線Ｌ２における測定装置４１が設けられた地点の電圧を測定する。
【００６４】
タップ位置制御装置４３は、変圧器Ｔｒ２のタップを順次選択する装置である。尚、変圧器Ｔｒ２の各タップを第１のタップから第９のタップの方向（以下、上げ方向という）へ順次選択する動作を上げ動作といい、変圧器Ｔｒ２の各タップを第９のタップから第１のタップの方向（以下、下げ方向という）へ順次選択する動作を下げ動作という。タップ位置制御装置４３は、変圧器Ｔｒ２のタップの上げ動作を行う上げ回路（不図示）及び変圧器Ｔｒ２のタップの下げ動作を行う下げ回路（不図示）を備えて構成される。
【００６５】
例えば、タップ位置制御装置４３が上げ動作を行う場合、上げ回路内の上げスイッチ（不図示）が入とされ、タップ位置制御装置４３は、変圧器Ｔｒ２の現在選択されているタップの上げ方向の例えば一つ隣のタップが選択されるように変圧器Ｔｒ２を制御する。
【００６６】
一方、例えば、タップ位置制御装置４３が下げ動作を行う場合、下げ回路内の下げスイッチ（不図示）が入とされ、タップ位置制御装置４３は、変圧器Ｔｒ２の現在選択されているタップの下げ方向の例えば一つ隣のタップが選択されるように変圧器Ｔｒ２を制御する。
【００６７】
制御装置４２は、測定装置４１で測定された配電線Ｌ２における測定装置４１が設けられた地点の電圧に応じて変圧器Ｔｒ２のタップの位置が調整されるようにタップ位置制御装置４３を制御する。制御装置４２は、測定装置４１で測定された配電線Ｌ２における測定装置４１が設けられた地点の電圧（以下、ＳＶＲ４の二次側測定電圧という）を示す測定情報を測定装置４１から受信できるように、例えば通信ケーブルＴ４１を介して測定装置４１に接続される。
【００６８】
制御装置４２は、記憶部４２１、判断部４２２及び入力部４２３を備えて構成される。
【００６９】
記憶部４２１には、ＳＶＲ４の二次側測定電圧と比較して変圧器Ｔｒ２の選択されているタップを調整するか否かの判断を行う際に用いられる第１の閾値電圧及び第２の閾値電圧が記憶されている。尚、第１の閾値電圧は第２の閾値電圧よりも例えば低い電圧とし、第１の閾値電圧は、例えば負荷Ｒ２に印加されて負荷Ｒ２が正常に動作する電圧よりも低い電圧とする。又、第２の閾値電圧は、第１の閾値電圧よりも例えば高い電圧とし、第２の閾値電圧は、例えば負荷Ｒ２に印加された際に負荷Ｒ２が過電圧により例えば焼失する可能性が生じる電圧よりも高い電圧とする。
【００７０】
入力部４２３は、例えば作業員が第１の閾値電圧及び第２の閾値電圧を記憶部４２１に入力する際に用いられる例えばキーボードである。
【００７１】
判断部４２２は、制御装置４２が測定装置４１から受信した測定情報に示されるＳＶＲ４の二次側測定電圧が記憶部４２１に記憶された第１の閾値電圧よりも低いか否かを判断する。又、判断部４２２は、制御装置４２が測定装置４１から受信した測定情報に示されるＳＶＲ４の二次側測定電圧が記憶部４２１に記憶された第２の閾値電圧よりも高いか否かを判断する。
【００７２】
例えば測定装置４１から受信した測定情報に示されたＳＶＲ４の二次側測定電圧が記憶部４２１に記憶された第１の閾値電圧よりも低いと判断部４２２に判断された場合、制御装置４２は、ＳＶＲ４の二次側測定電圧が第１の閾値電圧よりも高くなるまで、タップ位置制御装置４３が上げ動作を行うようにタップ位置制御装置４３を制御する。
【００７３】
一方、例えば測定装置４１から受信した測定情報に示されたＳＶＲ４の二次側測定電圧が記憶部４２１に記憶された第２の閾値電圧よりも高いと判断部４２２に判断された場合、制御装置４２は、ＳＶＲ４の二次側測定電圧が第２の閾値電圧よりも低くなるまで、タップ位置制御装置４３が下げ動作を行うようにタップ位置制御装置４３を制御する。
【００７４】
＝＝＝動作判定装置の全体構成＝＝＝
動作判定装置５は、ＳＶＲ４の二次側測定電圧（第１の電圧）と変圧器Ｔｒ２の現在選択されているタップに基づいて算出されたタップ位置電圧（第２の電圧）に基づいてＳＶＲ４の動作状態を判定する。  
動作判定装置５は、測定装置４１（測定部）、タップ位置検出装置５１、判定装置５２、記憶装置５３及び送受信装置５４を備えて構成される。
【００７５】
タップ位置検出装置５１は、変圧器Ｔｒ２の現在選択されているタップを検出する装置である。尚、タップ位置検出装置５１の詳細については後述する。
【００７６】
判定装置５２（判定部）は、測定装置４１の測定結果と判定装置５２で算出されたタップ位置電圧からＳＶＲ４の動作状態を判定する装置である。判定装置５２は、ＳＶＲ４の動作状態の判定結果を示す判定情報を送信する。尚、判定装置５２の詳細については後述する。判定装置５２は、測定装置４１の測定結果を示す測定情報を測定装置４１から受信できるように、例えば通信ケーブルＴ４１を介して測定装置４１に接続される。判定装置５２は、タップ位置検出装置５１で検出された変圧器Ｔｒ２の現在選択されているタップを示すタップ情報を受信できるように、例えば通信ケーブルＴ５１を介してタップ位置検出装置５１に接続される。判定装置５２は、記憶装置５３との間で通信が行われるように、例えば通信ケーブルＴ５２を介して記憶装置５３に接続される。
【００７７】
記憶装置５３は、ＳＶＲ４の二次側測定電圧、判定装置５２で算出されたタップ位置電圧及びＳＶＲ４の動作状態の判定結果を記憶する。
【００７８】
送受信装置５４は、測定装置４１から測定情報を受信し、判定装置５２からタップ位置電圧を示すタップ位置電圧情報及び判定情報を受信するように、例えば通信ケーブルＴ５３を介して記憶装置５３に接続される。送受信装置５４は、監視制御装置６０ａに例えば測定情報、タップ位置電圧情報及び判定情報を送信するように、例えば通信ケーブルＴ５４を介して監視制御装置６０ａに接続される。変電所６ａには監視制御装置６０ａが設けられている。監視制御装置６０ａは、送受信装置５４から送信された例えば測定情報、タップ位置電圧情報及び判定情報に基づいて、変電所６ａから配電線Ｌ２に供給される電力を調整するための例えば配電用変圧器Ｔｒａのタップ（不図示）を調整する。
【００７９】
＝＝＝タップ位置検出装置＝＝＝
タップ位置検出装置５１は、変圧器Ｔｒ２の現在選択されているタップを検出する。  
タップ位置検出装置５１は、記憶部５１１、演算部５１２及び入力部５１３を備えて構成される。
【００８０】
ここで、変圧器Ｔｒ２は、変圧器Ｔｒ２の現在選択されているタップを表示するタップ表示部（不図示）を備える。タップ位置制御装置４３の上げ回路は、上げスイッチが入とされた際に上げ回路内を電流が流れるように構成される。上げ回路内に電流が流れているか否かを検出するための電流クランプ（不図示）が上げ回路に取り付けられているものとする。タップ位置制御装置４３の下げ回路は、下げスイッチが入とされた際に下げ回路内を電流が流れるように構成される。下げ回路内に電流が流れているか否かを検出するための電流クランプ（不図示）が下げ回路に取り付けられているものとする。
【００８１】
タップ位置検出装置５１は、タップ位置制御装置４３の上げ回路の電流クランプ及び下げ回路の電流クランプ夫々が上げ回路内及び下げ回路内の電流を検出しているか否かを示す通電情報をタップ位置制御装置４３から受信するように、例えば通信ケーブルＴ４２を介してタップ位置制御装置４３に接続される。
【００８２】
記憶部５１１には、変圧器Ｔｒ２の現在選択されているタップを示すタップ情報が記憶される。尚、記憶部５１１に記憶されているタップ情報は、例えば第１のタップ乃至第９のタップ夫々に対応した整数で記憶されるものとする。例えば、第１のタップ乃至第９のタップは夫々、例えば整数の１乃至９として記憶されるものとする。
【００８３】
入力部５１３は、例えば作業員が変圧器Ｔｒ２のタップ表示部で確認した変圧器Ｔｒ２の現在選択されているタップを記憶部５１１に入力して記憶するための例えばキーボードである。
【００８４】
演算部５１２は、記憶部５１１に記憶されているタップ情報及びタップ位置検出装置５１がタップ位置制御装置４３から受信する通電情報に基づいて、変圧器Ｔｒ２の現在選択されているタップを算出し、演算部５１２で算出された変圧器Ｔｒ２の現在選択されているタップを示すタップ情報を記憶部５１１に記憶する。タップ位置検出装置５１がタップ位置制御装置４３からタップ位置制御装置４３の例えば上げ回路の電流が検出されていることを示す通電情報を受信した場合、演算部５１２は、記憶部５１１に記憶されたタップ情報に例えば整数の１を加算して記憶部５１１に記憶する。タップ位置検出装置５１がタップ位置制御装置４３からタップ位置制御装置４３の例えば下げ回路の電流が検出されていることを示す通電情報を受信した場合、演算部５１２は、記憶部５１１に記憶されたタップ情報から例えば整数の１を減算して記憶部５１１に記憶する。
【００８５】
尚、変圧器Ｔｒ２の現在選択されているタップが第９のタップであることを示す整数の９が記憶部５１１に記憶されている際にタップ位置検出装置５１がタップ位置制御装置４３からタップ位置制御装置４３の例えば上げ回路の電流が検出されていることを示す通電情報を受信した場合、演算部５１２は、記憶部５１１に記憶されたタップ情報である９をそのまま記憶部５１１に記憶するものとする。又、変圧器Ｔｒ２の現在選択されているタップが第１のタップであることを示す整数の１が記憶部５１１に記憶されている際にタップ位置検出装置５１がタップ位置制御装置４３からタップ位置制御装置４３の例えば下げ回路の電流が検出されていることを示す通電情報を受信した場合、演算部５１２は、記憶部５１１に記憶されたタップ情報である１をそのまま記憶部５１１に記憶するものとする。
【００８６】
例えば作業員が変圧器Ｔｒ２のタップ表示部で確認した変圧器Ｔｒ２の現在選択されているタップが例えば第５のタップである場合、変圧器Ｔｒ２の現在選択されているタップが第５のタップであることを示す例えば整数の５が例えば作業員により入力部５１３から入力されて記憶部５１１に記憶される。タップ位置検出装置５１がタップ位置制御装置４３からタップ位置制御装置４３の例えば上げ回路の電流が検出されていることを示す通電情報を受信した場合、演算部５１２は、記憶部５１１に記憶されたタップ情報である整数の５に例えば整数の１を加算して整数の６を記憶部５１１に記憶する。次に、タップ位置検出装置５１がタップ位置制御装置４３からタップ位置制御装置４３の例えば下げ回路の電流が検出されていることを示す通電情報を受信した場合、演算部５１２は、記憶部５１１に記憶されたタップ情報である整数の６から例えば整数の１を減算して整数の５を記憶部５１１に記憶する。
【００８７】
＝＝＝判定装置＝＝＝
判定装置５２（判定部）は、測定装置４１（測定部）の測定結果と判定装置５２で算出されたタップ位置電圧からＳＶＲ４の動作状態を判定する。  
判定装置５２は、記憶部５２１、演算部５２２及び判定部５２３を備えて構成される。
【００８８】
記憶部５２１には、変圧器Ｔｒ２の選択された第１のタップ乃至第９のタップ夫々と変圧器Ｔｒ２の変圧比夫々との対応を示す変圧比テーブルが記憶される。図４は本実施形態に係る記憶部５２１に記憶された変圧比テーブルの一例を示す図である。  
演算部５２２は、記憶部５２１の変圧比テーブルを参照して、測定装置４１の測定情報に示される測定結果とタップ位置検出装置５１のタップ情報に示される変圧器Ｔｒ２の現在選択されているタップから、配電線Ｌ２における変圧器Ｔｒ２の一次側に印加されるタップ位置電圧を算出する。  
判定部５２３は、記憶部５２１の変圧比テーブルを参照して、測定装置４１の測定情報に示される測定結果と演算部５２２で算出されたタップ位置電圧からＳＶＲ４の変圧器Ｔｒ２の現在選択されているタップを判定する。
【００８９】
＝＝＝動作判定装置の動作＝＝＝
配電線Ｌ２の電圧を調整するＳＶＲ４の動作状態を動作判定装置５が判定する動作判定装置５の動作について説明する。例えば、ＳＶＲ４の変圧器Ｔｒ２の現在選択されているタップが第５のタップから第６のタップへ調整された場合の動作判定装置５の動作について説明する。
【００９０】
例えば作業員が変圧器Ｔｒ２のタップ表示部で確認した変圧器Ｔｒ２の現在選択されているタップが例えば第５のタップである場合、変圧器Ｔｒ２の現在選択されているタップが第５のタップであることを示す例えば整数の５が例えば作業員により入力部５１３から記憶部５１１に入力されて記憶される。タップ位置検出装置５１がタップ位置制御装置４３からタップ位置制御装置４３の上げ回路の電流が検出されていることを示す通電情報を受信した場合、演算部５１２は、記憶部５１１に記憶されたタップ情報である整数の５に整数の１を加算して整数の６を記憶部５１１に記憶する。
【００９１】
判定装置５２は、記憶部５２１の変圧比テーブルを参照して、測定装置４１の測定情報に示される測定結果とタップ位置検出装置５１のタップ情報に示される第６のタップに対応する変圧器Ｔｒ２の変圧比から、配電線Ｌ２における変圧器Ｔｒ２の一次側に印加されるタップ位置電圧を算出する。判定装置５２は、記憶部５２１の変圧比テーブルを参照して、測定装置４１の測定情報に示される測定結果と判定装置５２で算出されたタップ位置電圧からＳＶＲ４の変圧器Ｔｒ２の現在選択されているタップは第６のタップであると判定する。
【００９２】
記憶装置５３は、測定装置４１の測定情報、判定装置５２で算出されたタップ位置電圧を示すタップ位置電圧情報及びＳＶＲ４の変圧器Ｔｒ２の第６のタップが選択されていることを示す判定情報を記憶する。
【００９３】
送受信装置５４は、監視制御装置６０ａに測定装置４１の測定情報、タップ位置電圧情報及びＳＶＲ４の変圧器Ｔｒ２の第６のタップが選択されていることを示す判定情報を送信する。
【００９４】
ここで、動作判定装置５におけるＳＶＲ４の動作判定を行った際の結果の一例を示す。  
図５は、本実施形態に係る動作判定装置５の判定結果の一例を示す図である。送出電圧は、測定装置４１で測定された測定結果を示す。タップ位置電圧は、判定装置５２で算出されたタップ位置電圧を示す。タップ位置は、判定装置５２で判定された変圧器Ｔｒ２の選択されたタップを示す。尚、前述した通りＳＶＲ４は、送出電圧が第１の閾値電圧よりも高く、かつ送出電圧が第２の閾値電圧よりも低くなるように変圧器Ｔｒ２のタップを選択する。
【００９５】
＜時刻Ｔ０から時刻Ｔ１＞
ＳＶＲ４の変圧器Ｔｒ２のタップは、変圧器Ｔｒ２の一次側に印加されるタップ位置電圧と変圧器Ｔｒ２の二次側から出力される送出電圧が等しくなるような変圧比である例えば第６のタップが選択されていることが示される。
【００９６】
＜時刻Ｔ１から時刻Ｔ２＞
変圧器Ｔｒ２の一次側に印加されるタップ位置電圧が、時刻Ｔ０から時刻Ｔ１の際のタップ位置電圧よりも低くなっている。ＳＶＲ４の変圧器Ｔｒ２のタップは、変圧器Ｔｒ２の二次側の送出電圧が変圧器Ｔｒ１の一次側のタップ位置電圧よりも高くなる例えば第８のタップが選択されていることが示される。
【００９７】
＜時刻Ｔ２から時刻Ｔ３＞
変圧器Ｔｒ２の一次側に印加されるタップ位置電圧が、時刻Ｔ１から時刻Ｔ２の際のタップ位置電圧よりも高くなっている。ＳＶＲ４の変圧器Ｔｒ２のタップは、変圧器Ｔｒ２の二次側の送出電圧が変圧器Ｔｒ１の一次側のタップ位置電圧よりも低くなる例えば第５のタップが選択されていることが示される。
【００９８】
＜時刻Ｔ３から時刻Ｔ４＞
変圧器Ｔｒ２の一次側に印加されるタップ位置電圧が、時刻Ｔ１から時刻Ｔ２の際のタップ位置電圧よりも低くなっている。ＳＶＲ４の変圧器Ｔｒ２のタップは、変圧器Ｔｒ２の二次側の送出電圧が変圧器Ｔｒ１の一次側のタップ位置電圧よりも低くなる例えば第５のタップが選択されていることが示される。
【００９９】
前述したように、測定装置４１は、配電線Ｌ２における変圧器Ｔｒ２の二次側近傍の電圧を測定する。タップ位置検出装置５１は、ＳＶＲ４における変圧器Ｔｒ２の現在選択されているタップを検出する。判定装置５２は、測定装置４１の測定情報に示される測定結果とタップ位置検出装置５１のタップ情報に対応する変圧器Ｔｒ２の変圧比に基づいて、配電線Ｌ２における変圧器Ｔｒ２の一次側に印加されるタップ位置電圧を算出する。判定装置５２は、測定装置４１の測定情報に示される測定結果と判定装置５２で算出されたタップ位置電圧に基づいて、ＳＶＲ４の動作状態を判定する。判定装置５２によって判定されたＳＶＲ４の動作状態の判定結果を示す判定情報が監視制御装置６０ａに送信される。よって、ＳＶＲ４の動作状態を簡単に判定することができ、変電所６ａから例えば負荷Ｒ２に最適な電力を供給することができる。
【０１００】
又、配電線Ｌ２における変圧器Ｔｒ２の二次側近傍の電圧と、判定装置５２に算出された変圧器Ｔｒ２の一次側に印加されるタップ位置電圧に基づいて、ＳＶＲ４の動作状態を判定する。よって、ＳＶＲ４の動作状態を簡単に判定することができる。
【０１０１】
尚、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【０１０２】
２    ＳＳＣ
３、５  動作判定装置
４    ＳＶＲ
６、６ａ  変電所
２１、３１ａ、３１ｂ、４１  測定装置
２２、４２  制御装置
３０、Ｔｒ１、Ｔｒ２  変圧器
３２、５２  判定装置
３３、５３  記憶装置
３４、５４  送受信装置
４３  タップ位置制御装置
５１  タップ位置検出装置
６０、６０ａ  監視制御装置
Ｌ１、Ｌ２  配電線
Ｌ１００、Ｌ２００  配電系統
ＳＷ１、ＳＷ２、ＳＷ３、ＳＷ１１、ＳＷ２１、ＳＷ２２、ＳＷ３１、ＳＷ３２、ＳＷ３３、ＳＷ３４  スイッチ
Ｔｒ  配電用変圧器
Ｒ１、Ｒ２  負荷
【図１】
2012095431.tif 000003
【図２】
2012095431.tif 000004
【図３】
2012095431.tif 000005
【図４】
2012095431.tif 000006
【図５】
2012095431.tif 000007